(57)【特許請求の範囲】
【請求項１】
現像剤を表面上に担持する現像剤担持体と、
前記現像剤担持体に供給する現像剤を収容する現像剤収容部内の現像剤を搬送する現像剤搬送部材と、を有し、
前記現像剤収容部を形成する収容部形成壁の所定の高さに、現像剤を装置外部に排出する現像剤排出口を設け、
前記現像剤収容部内から前記現像剤排出口に向かう現像剤が通過する排出経路を閉鎖する閉鎖状態と、前記排出経路を開放する開放状態とを選択的に取り得る排出経路開閉部材を備え、
前記排出経路開閉部材は、一端を中心に他端が揺動可能で、閉鎖状態から他端側が持ち上がることで開放状態となる現像装置において、
閉鎖状態では前記排出経路開閉部材の他端側が前記現像剤排出口に入り込み、前記排出経路開閉部材の下面が前記収容部形成壁における前記現像剤排出口の下端部分に接触し、
前記排出経路を挟んで前記現像剤排出口と対向する位置に排出口対向部材を備え、前記排出経路開閉部材の一端側の上面を前記排出口対向部材の下面に貼り付けることで、前記排出経路開閉部材の一端を固定することを特徴とする現像装置。
【請求項２】
請求項１の現像装置において、
前記現像剤排出口は、装置内全体の現像剤量の増減に応じて現像剤の嵩が増減する前記現像剤収容部における位置に設けられていることを特徴とする現像装置。
【請求項３】
請求項１または２の現像装置において、
前記現像剤収容部内の現像剤の搬送方向について、前記排出経路開閉部材の上流側と下流側とに、前記排出経路開閉部材の上面と前記現像剤収容部の天井との隙間を遮蔽する隙間遮蔽部材を備えることを特徴とする現像装置。
【請求項４】
請求項３の現像装置において、
現像剤の搬送方向について前記排出経路開閉部材の下流側の前記隙間遮蔽部材の下端部は、上流側の前記隙間遮蔽部材の下端部よりも下方に位置することを特徴とする現像装置。
【請求項５】
請求項１乃至４の何れかに記載の現像装置において、
前記排出経路開閉部材は、閉鎖状態で撓んだ状態で前記現像剤排出口の下端部分に接触するように配置され、閉鎖状態から開放状態となることで撓み量が大きくなることを特徴とする現像装置。
【請求項６】
潜像担持体と、
前記潜像担持体表面を帯電させるための帯電手段と、
前記潜像担持体上に静電潜像を形成するための潜像形成手段と、
前記静電潜像を現像する現像手段とを有する画像形成装置において、
前記現像手段として、請求項１乃至５の何れかに記載の現像装置を用いることを特徴とする画像形成装置。
【発明の詳細な説明】
【技術分野】
【０００１】
本発明は、複写機、ファクシミリ、プリンタ等に用いられる現像装置及びにこれを備えた画像形成装置に関するものである。
【背景技術】
【０００２】
従来から、トナーと磁性キャリアとを含む二成分の現像剤を用いた現像装置を備える画像形成装置が広く用いられている。この種の画像形成装置として、現像に伴ってトナーを消費する現像装置内の現像剤に対して、必要に応じてトナー収容器からトナーを補給することで、現像剤のトナー濃度を所定範囲内に維持するものがある。かかる構成では、現像剤内のキャリアは殆ど消費されず繰り返し使用されるため、画像を出力するにしたがってキャリアの表層のコート層が磨耗したり逆にコート層にトナー樹脂や添加剤が付着したりする。これにより、キャリアのトナーを帯電させる能力が徐々に低下して、キャリアが劣化した状態となる。
【０００３】
キャリアの劣化が進行するとトナーの帯電量が低下し、地肌部汚れやトナー飛散等を引き起こすため、この種の画像形成装置では定期的にサービスマンがユーザーを訪問してキャリアの交換を行っていた。このために、メンテナンス費用がかかり画像形成の単価が高くなってしまっていた。
【０００４】
特許文献１や特許文献２には、キャリアとトナーとを混合したプレミックス現像剤を現像装置内の現像剤に補給してトナー濃度の回復を図りながら、増加量分の現像剤を現像装置から排出させる現像装置が記載されている。かかる構成では、現像剤の排出によって古くなったキャリアを少しずつ現像装置内から排出しつつ、プレミックス現像剤中の新しいキャリアを現像装置内の現像剤に補給する。そして、このような排出と補給とによって現像剤中のキャリアを少しずつ新たなものに交換していくことで、キャリアの交換作業を省くことができる。
また、特許文献１及び特許文献２の現像装置では、装置内の現像剤量の増減に応じて現像剤を装置外に排出する現像剤排出口を備えている。これらの現像装置では、プレミックス現像剤が補給され、現像装置内の現像剤量が増加すると、供給搬送路内の現像剤の嵩が高くなる。このとき、現像剤排出口を設けた位置で、現像剤排出口の高さまで到達した現像剤は現像剤排出口から現像装置外部へ排出される。
【０００５】
さらに、特許文献２に記載の現像装置は、供給搬送路内の現像剤が現像剤排出口に向かう排出経路を閉鎖する閉鎖状態と、排出経路を開放する開放状態とを選択的に取り得る排出経路開閉部材を備える。この現像装置では、現像剤の剤面が現像剤排出口よりも低い状態では、排出経路開閉部材が剤面上方を覆うことによって、現像剤搬送スクリュの回転によって飛翔した現像剤が現像剤排出口に向かう経路を塞ぐ。現像剤の剤面が現像剤排出口よりも高くなった場合には、排出経路開閉部材が現像剤によって押し上げられることによって開く。この状態では現像剤を現像剤排出口を通して排出する。
特許文献２には、現像剤の剤面の高さによって現像剤排出口へ向かう経路の開閉を行うことで、飛び跳ねた現像剤が排出されることを防止し、現像装置内の現像剤量が増加していないにもかかわらず現像剤が排出されることを防止できることが記載されている。
【発明の概要】
【発明が解決しようとする課題】
【０００６】
しかしながら、特許文献２に記載の現像装置は板状の排出経路開閉部材の一端を中心に他端が揺動することで開閉する構成であり、排出経路開閉部材の他端の先端面が現像剤排出口の下方の壁面に接触または近接対向することで閉鎖状態となる。このような現像装置では、排出経路開閉部材の揺動中心となる一端の取り付け位置が組み付け誤差によって現像剤排出口側に寄り過ぎてしまうと、閉鎖状態のときに他端が壁面に突き当たってしまい、円滑な開閉動作を行えなくなる。また、上記一端の取り付け位置が現像剤排出口から離れる側に寄り過ぎてしまうと、閉鎖状態であっても他端と壁面との間に現像剤が通過可能な隙間が出来てしまい、余計な現像剤の排出を防止することができない。このため、排出経路開閉部材を高い組み付け精度で組み付けることが求められる。
【０００７】
本発明は以上の問題点に鑑みなされたものであり、その目的は、次の通りである。すなわち、装置内の現像剤量が増加していないにもかかわらず現像剤が排出されることを抑制するための排出経路開閉部材の組み付け精度を従来よりも低くできる現像装置、及び、その現像装置を備えた画像形成装置を提供することである。
【課題を解決するための手段】
【０００８】
上記目的を達成するために、請求項１の発明は、現像剤を表面上に担持する現像剤担持体と、前記現像剤担持体に供給する現像剤を収容する現像剤収容部内の現像剤を搬送する現像剤搬送部材と、を有し、前記現像剤収容部を形成する収容部形成壁の所定の高さに、現像剤を装置外部に排出する現像剤排出口を設け、前記現像剤収容部内から前記現像剤排出口に向かう現像剤が通過する排出経路を閉鎖する閉鎖状態と、前記排出経路を開放する開放状態とを選択的に取り得る排出経路開閉部材を備え、前記排出経路開閉部材は、一端を中心に他端が揺動可能で、閉鎖状態から他端側が持ち上がることで開放状態となる現像装置において、閉鎖状態では前記排出経路開閉部材の他端側が前記現像剤排出口に入り込み、前記排出経路開閉部材の下面が前記収容部形成壁における前記現像剤排出口の下端部分に接触し、前記排出経路を挟んで前記現像剤排出口と対向する位置に排出口対向部材を備え、前記排出経路開閉部材の一端側の上面を前記排出口対向部材の下面に貼り付けることで、前記排出経路開閉部材の一端を固定することを特徴とするものである。
【発明の効果】
【０００９】
本発明によれば、装置内の現像剤量が増加していないにもかかわらず現像剤が排出されることを抑制するための排出経路開閉部材の組み付け精度を従来よりも低くできる、という優れた効果がある。
【図面の簡単な説明】
【００１０】
【図１】実施例１の現像装置の閉鎖状態の断面説明図。
【図２】本実施形態に係る複写機の概略構成図。
【図３】現像装置及び感光体の概略構成図。
【図４】現像剤の流れを説明する現像装置の斜視断面図。
【図５】現像装置内の現像剤の流れの模式図。
【図６】現像装置の断面説明図。
【図７】図５とは異なる形状の現像装置内の現像剤の流れの模式図。
【図８】現像装置の外観斜視図。
【図９】実施例１の現像装置の開放状態の断面説明図。
【図１０】実施例１の現像装置を図１中の手前側の斜め上方から見た斜視断面図。
【図１１】図１０に示す状態から排出経路開閉部材を取り外した状態の実施例１の現像装置の斜視断面図。
【図１２】実施例１の現像装置を図１中の奥側の斜め上方から見た斜視断面図。
【図１３】図１２に示す状態から排出経路開閉部材を取り外した状態の実施例１の現像装置の斜視断面図。
【図１４】実施例１の現像装置を図１中の奥側の斜め下方から見た斜視断面図。
【図１５】図１４に示す状態から排出経路開閉部材を取り外した状態の実施例１の現像装置の斜視断面図。
【図１６】実施例１の現像装置の供給搬送路の下流端近傍の拡大説明図。
【図１７】実施例２の現像装置の閉鎖状態の断面説明図。
【図１８】実施例３の現像装置の閉鎖状態の断面説明図。
【図１９】現像剤排出口を備えた従来の現像装置の断面説明図。
【図２０】特許文献２に記載の現像装置の概略を説明する供給搬送路近傍の拡大断面図。
【発明を実施するための形態】
【００１１】
以下、図面を参照して本発明の実施形態について説明する。
図２は、本発明を適用可能な画像形成装置であり、複数の感光体が並行配設されたタンデム型のカラーレーザー複写機（以下、「複写機５００」という）の概略構成図である。複写機５００はプリンタ部１００、これを載せる給紙装置２００、プリンタ部１００の上に固定されたスキャナ３００等を備えている。また、このスキャナ３００の上に固定された原稿自動搬送装置４００等も備えている。
【００１２】
プリンタ部１００は、イエロー（Ｙ）、マゼンダ（Ｍ）、シアン（Ｃ）、黒（Ｋ）の各色の画像を形成するための四つの画像形成ユニット２０（Ｙ，Ｍ，Ｃ，Ｋ）を備えている。各符号の数字の後に付されたＹ，Ｍ，Ｃ，Ｋは、イエロー、シアン、マゼンダ、ブラック用の部材であることを示している（以下同様）。画像形成ユニット２０（Ｙ，Ｍ，Ｃ，Ｋ）の他には、光書込ユニット２１、中間転写ユニット１７、二次転写装置２２、レジストローラ対４９、ベルト定着方式の定着装置２５等が配設されている。
【００１３】
光書込ユニット２１は、図示しない光源、ポリゴンミラー、ｆ−θレンズ、反射ミラー等を有し、画像データに基づいて四つの感光体１（Ｙ，Ｍ，Ｃ，Ｋ）の表面にレーザー光を照射する。
【００１４】
画像形成ユニット２０（Ｙ，Ｍ，Ｃ，Ｋ）は、それぞれドラム状の感光体１（Ｙ，Ｍ，Ｃ，Ｋ）と、その周囲に配置された帯電装置、現像装置４（Ｙ，Ｍ，Ｃ，Ｋ）、ドラムクリーニング装置、除電器等を一つのユニットとして、共通の支持体に支持している。画像形成ユニット２０（Ｙ，Ｍ，Ｃ，Ｋ）は、一つのユニットとして共通の支持体に支持してプロセスカートリッジを構成し、四つのプロセスカートリッジのそれぞれが複写機５００本体に対して着脱可能になっている。本実施形態の複写機５００は、プロセスカートリッジである四つの画像形成ユニット２０（Ｙ，Ｍ，Ｃ，Ｋ）をプリンタ部１００に並べて配置する構成である。プロセスカートリッジとすることで、画像形成ユニット２０の交換性が向上する。
【００１５】
四つの画像形成ユニット２０（Ｙ，Ｍ，Ｃ，Ｋ）は、それぞれが扱うトナーの色が異なる点の他がほぼ同様の構成になっているので、以下、使用するトナーの色を示す「Ｙ」、「Ｍ」、「Ｃ」、「Ｋ」という添字は適宜省略する。
帯電手段たる帯電器によって、感光体１の表面は一様帯電される。帯電処理が施された感光体１の表面には、光書込ユニット２１によって変調及び偏向されたレーザー光が照射される。すると、照射部（露光部）の電位が減衰する。この減衰により、感光体１表面に静電潜像が形成される。形成された静電潜像は現像手段たる現像装置４によって現像されてトナー像となる。
感光体１上に形成されたトナー像は、後述の中間転写ベルト１１０に一次転写される。一次転写後の感光体１の表面は、ドラムクリーニング装置によって転写残トナーがクリーニングされる。
【００１６】
画像形成ユニット２０において、ドラムクリーニング装置によってクリーニングされた感光体１は、除電器によって除電される。そして、帯電器によって一様帯電せしめられて、初期状態に戻る。以上のような一連のプロセスは、四つの画像形成ユニット２０について同様に実行される。
【００１７】
次に、中間転写ユニットについて説明する。
中間転写ユニット１７は、中間転写ベルト１１０やベルトクリーニング装置９０等を有している。また、張架ローラ１４、駆動ローラ１５、二次転写バックアップローラ１６、四つの一次転写バイアスローラ６２（Ｙ，Ｍ，Ｃ，Ｋ）等も有している。中間転写ベルト１１０は、張架ローラ１４を含む複数のローラによってテンションを掛けられた状態で張架されている。そして、図示しないベルト駆動モータによって駆動される駆動ローラ１５の回転によって図２中の時計回り方向に無端移動する。
【００１８】
四つの一次転写バイアスローラ６２（Ｙ，Ｍ，Ｃ，Ｋ）は、それぞれ中間転写ベルト１１０の内周面側に接触するように配設され、図示しない電源から一次転写バイアスの印加を受ける。また、四つの一次転写バイアスローラ６２（Ｙ，Ｍ，Ｃ，Ｋ）は、中間転写ベルト１１０をその内周面側から四つの感光体１（Ｙ，Ｍ，Ｃ，Ｋ）に向けて押圧し、それぞれ一次転写ニップを形成する。各一次転写ニップには、一次転写バイアスの影響により、感光体１（Ｙ，Ｍ，Ｃ，Ｋ）と一次転写バイアスローラ６２（Ｙ，Ｍ，Ｃ，Ｋ）との間に一次転写電界が形成される。
【００１９】
イエロー用感光体１Ｙ上に形成された上述のＹトナー像は、この一次転写電界やニップ圧の影響によって中間転写ベルト１１０上に一次転写される。このＹトナー像の上には、Ｍ，Ｃ，Ｋ用の感光体１（Ｍ，Ｃ，Ｋ）上に形成されたＭ，Ｃ，Ｋトナー像が順次重ね合わせて一次転写される。この重ね合わせの一次転写により、中間転写ベルト１１０上には四色のトナー像が重ね合わせられたトナー像（以下、四色トナー像という）が形成される。中間転写ベルト１１０上に重ね合わせ転写された四色トナー像は、後述の二次転写ニップで図示しない記録媒体たる転写紙に二次転写される。二次転写ニップ通過後の中間転写ベルト１１０の表面に残留する転写残トナーは、図２中左側の駆動ローラ１５との間に中間転写ベルト１１０を挟み込むベルトクリーニング装置９０によってクリーニングされる。
【００２０】
次に、二次転写装置２２について説明する。
中間転写ユニット１７の図中下方には、二本の紙搬送張架ローラ２３によって紙搬送ベルト２４を張架している二次転写装置２２が配設されている。紙搬送ベルト２４は、少なくとも何れか一方の紙搬送張架ローラ２３の回転駆動に伴って、図２中の反時計回り方向に無端移動する。二本の紙搬送張架ローラ２３のうち、図２中の右側に配設された一方の紙搬送張架ローラ２３は、中間転写ユニット１７の二次転写バックアップローラ１６との間に、中間転写ベルト１１０及び紙搬送ベルト２４を挟み込んでいる。この挟み込みにより、中間転写ユニット１７の中間転写ベルト１１０と、二次転写装置２２の紙搬送ベルト２４とが接触する二次転写ニップが形成されている。
【００２１】
二次転写ニップを形成する紙搬送張架ローラ２３には、トナーと逆極性の二次転写バイアスが図示しない電源によって印加される。この二次転写バイアスの印加により、二次転写ニップには中間転写ベルト１１０上の四色トナー像を二次転写バックアップローラ１６側から二次転写ニップを形成する紙搬送張架ローラ２３側に向けて静電移動させる二次転写電界が形成される。
【００２２】
二次転写ニップでは、中間転写ベルト１１０上の四色トナー像に同期するように後述のレジストローラ対４９によって送り込まれた転写紙に対して、二次転写電界やニップ圧の影響を受けた四色トナー像が二次転写される。二次転写手段としては、ローラ部材に二次転写バイアスを印加する二次転写方式に代えて、転写紙を非接触でチャージさせるチャージャを設ける方式としてもよい。
【００２３】
複写機５００本体の下部に設けられた給紙装置２００は、複数の給紙カセット４４が鉛直方向に多段に配置されたペーパーバンク４３を備える。各給紙カセット４４内には、複数の転写紙を紙束の状態で複数枚重ねて収容されている。それぞれの給紙カセット４４は、紙束の一番上の転写紙に給紙ローラ４２を押し当てている。そして、給紙ローラ４２が回転することにより、一番上の転写紙を給紙路４６に向けて送り出す。
【００２４】
給紙カセット４４から送り出された転写紙を受け入れる給紙路４６には、複数の搬送ローラ対４７が配置されており、給紙路４６における転写紙の搬送方向下流側端部にはレジストローラ対４９が設けられている。給紙路４６では受け入れた転写紙を搬送ローラ対４７によってレジストローラ対４９に向けて搬送する。
【００２５】
レジストローラ対４９に向けて搬送された転写紙は、レジストローラ対４９のローラ間に挟まれ、停止する。一方、中間転写ユニット１７において、中間転写ベルト１１０上に形成された四色トナー像は、中間転写ベルト１１０の無端移動に伴って上述した二次転写ニップに進入する。レジストローラ対４９は、ローラ間に挟み込んだ転写紙を二次転写ニップにて中間転写ベルト１１０上の四色トナー像に密着させ得るタイミングで送り出す。これにより、二次転写ニップでは、中間転写ベルト１１０上の四色トナー像が転写紙に密着する。そして、転写紙に密着した四色トナー像が転写紙上に二次転写され、白色の転写紙上でフルカラー画像となる。このようにしてフルカラー画像が形成された転写紙は、紙搬送ベルト２４の無端移動に伴って二次転写ニップを出た後、紙搬送ベルト２４上から定着装置２５に受け渡される。
【００２６】
定着装置２５は、定着ベルト２６を２本のローラによって張架しながら無端移動するベルトユニットと、このベルトユニットの一方のローラに向けて押圧される加圧ローラ２７とを備えている。これらの定着ベルト２６と加圧ローラ２７とが当接して定着ニップを形成しており、紙搬送ベルト２４から受け取った転写紙をここに挟み込む。ベルトユニットにおける二本のローラのうち、加圧ローラ２７から押圧される方のローラは、内部に図示しない熱源を有しており、この熱源の発熱によって定着ベルト２６を加熱する。加熱された定着ベルト２６は、定着ニップに挟み込まれた転写紙を加熱する。この加熱や定着ニップでのニップ圧の影響により、フルカラー画像が転写紙に定着される。
【００２７】
定着装置２５内で定着処理が施された転写紙は、排出ローラ５６に到達し、複写機５００の筐体における図２中の左側板の外側に設けたスタック部５７上に排出ローラ５６によって排出される。転写紙のもう一方の面にもトナー像を形成する場合は、定着後の転写紙は排出ローラ５６へは搬送されず、上述した二次転写ニップに戻される。
【００２８】
図示しない原稿のコピーがとられる際には、例えばシート原稿の束が原稿自動搬送装置４００の原稿台３０上セットされる。但し、その原稿が本のように閉じられている片綴じ原稿である場合には、コンタクトガラス３２上にセットされる。このセットに先立ち、複写機５００本体に対して原稿自動搬送装置４００が開かれ、スキャナ３００のコンタクトガラス３２が露出する。この後、閉じられた原稿自動搬送装置４００によって片綴じ原稿が押さえられる。
【００２９】
このようにして原稿がセットされた後、図示しないコピースタートスイッチが押下されると、スキャナ３００による原稿読取動作がスタートする。但し、原稿自動搬送装置４００にシート原稿がセットされた場合には、この原稿読取動作に先立って、原稿自動搬送装置４００がシート原稿をコンタクトガラス３２まで自動移動させる。原稿読取動作では、まず、第一走行体３３と第二走行体３４とがともに走行を開始し、第一走行体３３に設けられた光源から光が発射される。そして、原稿面からの反射光が第一走行体３３及び第二走行体３４内に設けられたミラーに反射して、結像レンズ３５を通過した後、読取センサ３６に入射する。読取センサ３６は、入射した光に基づいて画像情報を構築する。
【００３０】
このような原稿読取動作と並行して、各画像形成ユニット２０（Ｙ，Ｍ，Ｃ，Ｋ）内の各機器や、中間転写ユニット１７、二次転写装置２２、定着装置２５がそれぞれ駆動を開始する。そして、読取センサ３６によって構築された画像情報に基づいて、光書込ユニット２１が駆動制御されて、各感光体１（Ｙ，Ｍ，Ｃ，Ｋ）上に、Ｙ，Ｍ，Ｃ，Ｋの各色トナー像が形成される。これらトナー像は、中間転写ベルト１１０上に重ね合わせて転写されることで四色トナー像となる。
【００３１】
また、原稿読取動作の開始とほぼ同時に、給紙装置２００内では給紙動作が開始される。この給紙動作では、複数の給紙ローラ４２のうちの一つが選択されて回転駆動を開始し、回転駆動を開始した給紙ローラ４２に対応する給紙カセット４４から転写紙が送り出される。送り出された転写紙は、分離ローラ４５で一枚ずつ分離されて給紙路４６に進入した後、搬送ローラ対４７によって二次転写ニップに向けて搬送される。
【００３２】
このような給紙カセット４４からの給紙に代えて、手差しトレイ５１からの給紙が行われる場合もある。この場合、手差し給紙ローラ５０が選択されて回転駆動を開始し、手差しトレイ５１上の転写紙を送り出した後、手差し分離ローラ５２が転写紙を一枚ずつ分離してプリンタ部１００の手差し給紙路５３に給紙する。手差し給紙路５３に給紙された転写紙は、二次転写ニップに向けて搬送される。
【００３３】
複写機５００は、二色以上のトナーからなる多色画像を形成する場合には、中間転写ベルト１１０を、その上部張架面がほぼ水平になる姿勢で張架して、上部張架面に四つの感光体１（Ｙ，Ｍ，Ｃ，Ｋ）の全てを接触させる。これに対し、Ｋトナーのみからなるモノクロ画像を形成する場合には、図示しない機構により、中間転写ベルト１１０を図２中の左側が下がるように傾けた姿勢にして、その上部張架面をＹ，Ｍ，Ｃ用の感光体１（Ｙ，Ｍ，Ｃ）から離間させる。そして、四つの感光体１（Ｙ，Ｍ，Ｃ，Ｋ）のうち、黒用感光体１Ｋだけを図２中の反時計回り方向に回転させて、Ｋトナー像だけを作像する。この際、Ｙ，Ｍ，Ｃについては、感光体１だけでなく、現像装置４も駆動を停止させることで、感光体１や現像剤の不要な消耗を防止することができる。
【００３４】
複写機５００は、複写機５００内の各機器の制御を司るＣＰＵ等から構成される図示しない制御部と、液晶ディスプレイや各種キーボタン等から構成される図示しない操作表示部とを備えている。操作者は、この操作表示部に対するキー入力操作により、制御部に対して命令を送ることで、転写紙の片面だけに画像を形成するモードである片面プリントモードについて、三つのモードの中から一つを選択することができる。この三つの片面プリントモードとは、ダイレクト排出モードと、反転排出モードと、反転デカール排出モードとからなる。
【００３５】
図３は、四つの画像形成ユニット２０（Ｙ，Ｍ，Ｃ，Ｋ）のうちの一つが備える本発明を適用可能な現像装置４及び感光体１を示す拡大構成図である。上述したように、四つの画像形成ユニット２０（Ｙ，Ｍ，Ｃ，Ｋ）は、ほぼ同様の構成になっているので、図３では、使用するトナーの色を示す添字は適宜省略している。
図３に示すように感光体１は図中矢印Ｇ方向に回転しながら、その表面を不図示の帯電装置により帯電される。帯電された感光体１の表面は、光書込ユニット２１より照射されたレーザー光により静電潜像を形成され、この静電潜像に現像装置４からトナーを供給され、トナー像が形成される。
【００３６】
現像装置４は、図３中の矢印Ｉ方向に表面移動しながら感光体１の表面の静電潜像にトナーを供給し、現像する現像剤担持体としての現像ローラ５を有している。また、現像ローラ５に現像剤を供給しながら図３の手前方向に現像剤を搬送する供給搬送部材としての供給スクリュ８を有している。
現像ローラ５の表面近傍おける供給スクリュ８との対向部から表面移動方向下流側には、現像ローラ５に供給された現像剤を現像に適した厚さに規制する現像剤規制部材としての現像ドクタ１２を備えている。
現像ローラ５と感光体１との対向部である現像領域に対して現像ローラ５の表面移動方向下流側には、現像領域を通過した現像済みの現像剤を回収し、回収した回収現像剤を供給スクリュ８と同方向に搬送する回収搬送部材である回収スクリュ６を備えている。供給スクリュ８を備えた供給搬送路９は現像ローラ５の横方向に、回収スクリュ６を備えた回収搬送路７は現像ローラ５の下方に並設されている。
【００３７】
現像装置４は、供給搬送路９の下方で回収搬送路７に並列して、攪拌搬送路１０を設けている。攪拌搬送路１０は、現像剤を攪拌しながら供給スクリュ８とは逆方向である図３中の奥側に搬送する攪拌搬送部材としての攪拌スクリュ１１を備えている。
供給搬送路９と攪拌搬送路１０とは仕切り部材としての第一仕切り壁１３３によって仕切られている。第一仕切り壁１３３の供給搬送路９と攪拌搬送路１０とを仕切る箇所は図３中の手前側と奥側との両端は開口部となっており、供給搬送路９と攪拌搬送路１０とが連通している。
【００３８】
供給搬送路９と回収搬送路７とも第一仕切り壁１３３によって仕切られているが、第一仕切り壁１３３の供給搬送路９と回収搬送路７とを仕切る箇所には開口部を設けていない。
また、攪拌搬送路１０と回収搬送路７との二つの搬送路は仕切り部材としての第二仕切り壁１３４によって仕切られている。第二仕切り壁１３４は、図３中の手前側端部に開口部が設けてあり、攪拌搬送路１０と回収搬送路７とを連通している。
【００３９】
現像剤搬送部材である供給スクリュ８、回収スクリュ６及び攪拌スクリュ１１は、回転軸と、この回転軸に設けられた螺旋状の羽部とを備え、回転することにより軸方向に現像剤を搬送する現像剤搬送スクリュである。これらの現像剤搬送スクリュは、樹脂もしくは金属のスクリュからなっており各スクリュ径は全てφ２２［ｍｍ］である。また、スクリュピッチは、供給スクリュが５０［ｍｍ］の二条巻き、回収スクリュ６及び攪拌スクリュ１１が２５［ｍｍ］の一条巻き、回転数は全て約６００［ｒｐｍ］に設定している。
【００４０】
現像ローラ５上に担持された現像剤は、ステンレスからなる現像ドクタ１２によって薄層化され、感光体１との対抗部である現像領域まで搬送されて現像に用いられる。現像ローラ５の表面はＶ溝あるいはサンドブラスト処理されておりφ２５［ｍｍ］のＡｌ（アルミニウム）もしくはＳＵＳ（ステンレス）素管からなり、現像ドクタ１２及び感光体１とのギャップは０．３［ｍｍ］程度となっている。
現像領域を通過した後の現像剤は回収搬送路７にて回収を行い、図３中の断面手前側に搬送され、第一仕切り壁１３３の手前側端部に設けられた開口部で、攪拌搬送路１０へ現像剤が移送される。なお、攪拌搬送路１０における現像剤搬送方向上流側の第一仕切り壁１３３の開口部の付近で攪拌搬送路１０の上側に設けられたトナー補給口９５（後述する図８参照）から攪拌搬送路１０にトナーが供給される。
【００４１】
次に、現像装置４が備える三つの現像剤搬送路内での現像剤の循環について説明する。
図４は現像剤搬送路内の現像剤の流れを説明する現像装置４の斜視断面図である。図４中の各矢印は現像剤の移動方向を示している。
また、図５は、現像装置４内の現像剤の流れの模式図であり、図４と同様、図５中の各矢印は現像剤の移動方向を示している。
【００４２】
攪拌搬送路１０から現像剤の供給を受けた供給搬送路９では、現像ローラ５に現像剤を供給しながら、供給スクリュ８の搬送方向下流側に現像剤を搬送する。そして、現像ローラ５に供給され、現像に用いられず供給搬送路９の搬送方向下流端まで搬送された余剰現像剤は第一仕切り壁１３３の余剰開口部９２より攪拌搬送路１０に供給される（図５中矢印Ｅ）。
現像ローラ５から回収搬送路７に送られ、回収スクリュ６によって回収搬送路７の搬送方向下流端まで搬送された回収現像剤は、第二仕切り壁１３４の回収開口部９３より攪拌搬送路１０に供給される（図５中矢印Ｆ）。
攪拌搬送路１０では、供給された余剰現像剤と回収現像剤とを攪拌し、攪拌スクリュ１１の搬送方向下流側に搬送し、搬送方向下流側端部に到達した現像剤は、第一仕切り壁１３３に設けられた供給開口部９１より供給搬送路９に供給される（図５中矢印Ｄ）。
【００４３】
攪拌搬送路１０では攪拌スクリュ１１によって、回収現像剤、余剰現像剤及び移送部で必要に応じて補給されるトナーを、回収搬送路７及び供給搬送路９内を搬送される現像剤とは逆方向に攪拌搬送する。そして、搬送方向下流側で連通している供給搬送路９の搬送方向上流側に攪拌された現像剤を移送する。
攪拌搬送路１０の下方には、不図示のトナー濃度センサが設けられ、このトナー濃度センサのセンサ出力に基づいて不図示のトナー補給制御装置を作動し、不図示のトナー収容部から現像装置４へのトナー補給を行っている。
【００４４】
図５に示す現像装置４では、供給搬送路９と回収搬送路７とを備え、現像剤の供給と回収とを異なる現像剤搬送路で行うので、現像済みの現像剤が供給搬送路９に混入することがない。このため、供給搬送路９の搬送方向下流側ほど現像ローラ５に供給される現像剤のトナー濃度が低下することを防止することができる。また、回収搬送路７と攪拌搬送路１０とを備え、現像剤の回収と攪拌とを異なる現像剤搬送路で行うので、現像済みの現像剤が攪拌の途中に落ちることがない。これにより、十分に攪拌がなされた現像剤が供給搬送路９に供給されるため、供給搬送路９に供給されるの現像剤が攪拌不足となることを防止することができる。このように、供給搬送路９内の現像剤のトナー濃度が低下することを防止し、供給搬送路９内の現像剤が攪拌不足となることを防止することができるので現像時の画像濃度を一定にすることができる。
【００４５】
また、図５に示すように、現像装置４の下部から上部への現像剤の移動は矢印Ｄのみである。矢印Ｄで示す現像剤の移動は、攪拌スクリュ１１の回転による搬送力で現像剤を攪拌搬送路１０の下流側端部に押し込むことにより、現像剤を盛り上がらせて供給搬送路９に現像剤を供給するものである。
このように、現像剤を下方から上方に持ち上げる際に現像剤を押し込んで移動させと、現像剤にストレスを与えることになり、現像剤の寿命低下の一因となる。具体的には、現像剤中のキャリアの膜削れやトナーのスペント化がその個所で発生し、それに伴い画像品質の安定性が保たれなくなってしまう。
【００４６】
このため、図５中の矢印Ｄで示す現像剤の移動における現像剤のストレスを軽減することで現像剤の長寿命化を図ることが出来る。現像剤の長寿命化を図ることにより、現像剤の劣化を防止して常に画像濃度ムラの無い画像品質の安定した現像装置を提供することができる。
【００４７】
本実施形態の現像装置４では、図３に示すように、供給搬送路９を攪拌搬送路１０の斜め上方になるように配置している。斜め上方に配置することにより、供給搬送路９を攪拌搬送路１０の垂直上方に設け現像剤を持ち上げるものに比べて、矢印Ｄで示す現像剤の移動における現像剤のストレスを軽減することができる。
【００４８】
さらに、現像装置４では、供給搬送路９と攪拌搬送路１０とを斜めに配置することで、図３に示すように、攪拌搬送路１０の上部壁面が供給搬送路９の下部壁面よりも高い位置となるように配置している。
供給搬送路９を攪拌搬送路１０に対して垂直上方に持ち上げることは、重力に逆らって現像剤を攪拌スクリュ１１の圧によって持ち上げるので現像剤にストレスがかかる。一方、攪拌搬送路１０の上部壁面が供給搬送路９の下部壁面よりも高い位置となるように配置することで、攪拌搬送路１０の最高点に存在する現像剤が供給搬送路９の最下点に重力に逆らわず流れ込むことができる。これにより、現像剤にかかるストレスを低減することができる。
【００４９】
また、攪拌搬送路１０の現像剤搬送路下流側の、攪拌搬送路１０と供給搬送路９とが連通している部分の攪拌スクリュ１１の軸にフィン部材を設けても良い。このフィン部材は攪拌スクリュ１１の軸方向に平行な辺と、攪拌スクリュの軸方向に垂直な辺とから構成される板状の部材である。このフィン部材で現像剤を掻き上げることにより、攪拌搬送路１０から供給搬送路９へ、より効率的な現像剤の受渡しを行うことができる。
【００５０】
また、現像装置４では、図３に示すように、現像ローラ５と供給搬送路９との中心間距離Ａが、現像ローラ５と攪拌搬送路１０との中心間距離Ｂよりも短くなるように、供給搬送路９と攪拌搬送路１０とを配置している。これにより供給搬送路９から現像ローラ５に現像剤を無理無く供給することができ、装置の小型化を図ることもできる。
また、攪拌スクリュ１１は、図３中の手前側から見て反時計回り方向（図中矢印Ｃ方向）に回転しており、現像剤は攪拌スクリュ１１の形状に沿って現像剤を持ち上げて供給搬送路９に移送させている。これにより、現像剤を効率良く持ち上げることが可能となり現像剤にかかるストレスをより低減することができる。
【００５１】
図６は、現像装置４の供給スクリュ８の回転中心における断面を図４中の矢印Ｊ方向から見た断面説明図である。図中Ｈは、現像剤担持体である現像ローラ５が、潜像担持体である感光体１にトナーを供給する現像領域を示している。この現像領域Ｈの現像ローラ５の回転軸の軸線方向の幅が現像領域幅αである。
図６に示すように、現像装置４は攪拌搬送路１０から供給搬送路９に現像剤を持ち上げる箇所である供給開口部９１と、供給搬送路９から攪拌搬送路１０に現像剤を落下させる余剰開口部９２とがともに現像領域幅α内に設けられている。
【００５２】
図７は、図５とは異なり、供給開口部９１と余剰開口部９２とを現像領域幅αの外側に設けた構成の現像装置４内の現像剤の流れの模式図である。
図７に示す現像装置４では、供給開口部９１を現像領域幅αの外側に設けているため、供給搬送路９の搬送方向上流側は現像ローラ５よりも供給搬送路上流側領域β分長くなっている。また、余剰開口部９２を現像領域幅αの外側に設けているため、供給搬送路９の搬送方向下流側は現像ローラ５よりも供給搬送路下流側領域γ分長くなっている。
【００５３】
一方、図５に示す構成の現像装置４では、供給開口部９１を現像領域幅α内に設けているため、供給搬送路９の搬送方向上流側は図７の現像装置４よりも供給搬送路上流側領域β分短くすることができる。また、余剰開口部９２を現像領域幅α内に設けているため、供給搬送路９の搬送方向下流側は図７の現像装置４よりも供給搬送路下流側領域γ分短くすることができる。
このように、図５の現像装置４は供給開口部９１と余剰開口部９２とを現像領域幅α内に設けているため、図７に示す現像装置４に比べて、現像装置４の上部の省スペース化を図ることが出来る。
【００５４】
次に、現像装置４の供給搬送路９、攪拌搬送路１０及び回収搬送路７からなる現像剤搬送路へのトナーを補給する位置について説明する。図８は、現像装置４の外観斜視図である。
図８に示すように、現像装置４は、トナーを補給するトナー補給口９５が攪拌スクリュ１１を備える攪拌搬送路１０の搬送方向上流端部の上方に設けられている。このトナー補給口９５は現像ローラ５の幅方向端部よりも外側に設けてあるので、現像領域幅αよりも外側となっている。
【００５５】
この、トナー補給口９５を設けた箇所は供給搬送路９の搬送方向の延長線上であり、図７における供給搬送路下流側領域γの空いたスペースに該当する。余剰開口部９２を現像領域幅α内に設けることで空いたスペースにトナー補給口９５を設けることにより、現像装置４の小型化を図ることが出来る。
トナー補給口９５としては、攪拌搬送路１０の搬送方向上流端部の上方に限らず、回収搬送路７の下流端部の上方に設けても良い。
【００５６】
また、回収搬送路７から攪拌搬送路１０へ現像剤の受渡しを行う箇所である回収開口部９３の真上にトナー補給口９５を設けるようにしても良い。回収開口部９３の真上のスペースも余剰開口部９２を現像領域幅α内に設けることで空いたスペースであるので、この位置にトナー補給口９５を設けることにより、現像装置４の小型化を図ることができる。さらに、受渡し部である回収開口部９３では現像剤が混ざりやすいため、この位置で補給を行うことにより、効率よく現像剤の攪拌を行うことができる。
【００５７】
現像装置４は、図５を用いて説明したように、攪拌搬送路１０の搬送方向下流端から供給搬送路９の搬送方向上流端に現像剤を受け渡す供給開口部９１を現像領域幅α内に設けている。また、供給搬送路９の搬送方向下流端から攪拌搬送路１０の搬送方向上流端に現像剤を受け渡す余剰開口部９２を現像領域幅α内に設けている。このため、従来の現像装置４に比べて、現像装置４の上部の省スペース化を図ることが出来、現像装置４全体の省スペース化を図ることが出来る。
さらに、余剰開口部９２を現像領域幅α内に設けることで空いたスペースにトナー補給口９５を設けることにより、現像装置４の小型化を図ることが出来る。
【００５８】
回収搬送路７から攪拌搬送路１０への現像剤の受渡し部である回収開口部９３の上方からトナー補給を行うことにより、効率よく現像剤の攪拌を行うことができる。
また、画像形成装置としての複写機５００のプリンタ部１００の現像手段として、現像装置４を備えることにより、装置全体の省スペース化を図ることが出来る。
【００５９】
次に、現像装置４内の現像剤の入れ替えについて説明する。
現像剤補給手段である不図示のトナー補給制御装置は、不図示のトナー収容部内のトナーをトナー補給口９５から現像装置４に補給する。本実施形態の現像装置４ではトナー補給口９５からトナーとキャリアとを含む現像剤が補給される。以降、現像装置４に補給されるトナーとキャリアとが混合された現像剤を「プレミックストナー」と称する。
【００６０】
現像装置４は、供給搬送路９内の現像剤が所定の嵩を越えた場合にその一部を現像装置４の外部に排出する現像剤排出口９４と、現像剤排出口９４から排出された現像剤を現像装置４の外部に搬送する排出搬送スクリュ２ａを備えた排出搬送路２とを有する。排出搬送路２は、供給搬送路９の搬送方向下流側で仕切り壁１３５を挟んで供給搬送路９と隣り合うように配置され、現像剤排出口９４は供給搬送路９と排出搬送路２とを連通するように仕切り壁１３５に設けられた開口部である。
本実施形態では、現像剤排出口９４を供給搬送路９に設けているが、現像剤排出口９４を設ける位置としては、装置内全体の現像剤量の増減に応じて現像剤の嵩が増減する位置であれば、回収搬送路７や攪拌搬送路１０に設けてもよい。
【００６１】
次に、現像剤排出口９４を備えた従来の現像装置４について説明する。
図１９は、現像剤排出口９４を備えた従来の現像装置４について、図３と同じ方向から見た供給搬送路９の搬送方向下流端近傍の現像装置４の断面説明図である。
供給搬送路９の搬送方向下流端近傍とは、例えば、供給搬送路９から攪拌搬送路１０へと現像剤が受け渡される現像剤受渡し部と供給搬送路９の搬送方向で同位置となる箇所である。
【００６２】
また、供給搬送路９内の供給スクリュ８の回転方向は、図４でいうところの右回り（矢印Ｍの方向）であって、現像ローラ５に対して現像剤を下方から持ち上げて供給する方向に回転している。ここで、供給スクリュ８の回転方向を左回りにし、現像剤を上から振り掛けるようにして現像ローラ５に現像剤を供給すると、現像剤が飛び散りながら現像ローラ５に供給される。一方、供給スクリュ８の回転方向を図４に示すように右回りにすると、現像剤がたまっている供給搬送路９の下方から現像剤を持ち上げるようにして現像ローラ５に現像剤が供給されるようになる。現像剤が飛び散るように供給するよりも、下方から持ち上げるようにして供給するほうが現像剤の供給性が安定するため、現像装置４では供給スクリュ８の回転方向を図４でいうところの右回りに設定している。
【００６３】
特に本実施形態の現像装置４のように現像ローラ５に供給した現像剤を供給搬送路９へ戻さず、回収搬送路７で回収するものでは、現像剤量は供給搬送路９の下流に行くにしたがって減少していく。このため、現像剤がたまっている下方からくみ上げて現像ローラ５に供給するもののほうが現像剤の供給性の面では優れている。
【００６４】
ここで、搬送力を付与されることで供給搬送路９内を移動する現像剤の勢いや、現像剤搬送スクリュである供給スクリュ８の回転する力によって供給搬送路９内の現像剤は飛び跳ねる。そして、図１９に示すように、現像剤搬送路である供給搬送路９の所定の高さに現像剤排出口９４を設けただけの構成であると、図１９中の矢印Ｔで示すような経路で、飛び跳ねた現像剤が飛翔して現像剤排出口９４を通過して排出されることがある。
【００６５】
現像剤が飛び跳ねて排出される場合、供給搬送路９内の現像剤排出口９４を設けた位置を搬送される現像剤が適正な量の状態や、適正な量を下回る状態であっても、飛び跳ねた現像剤が排出されるおそれがある。このように飛び跳ねた現像剤が排出される状態であると、現像装置４内の現像剤が適正な量以下の状態であるにもかかわらず現像剤排出口９４から現像剤が排出されることがある。これにより、現像装置４内の現像剤量が必要量を下回り、感光体１への現像剤の供給が不安定になるおそれがある。そして、感光体１への現像剤の供給が不安定になると画像抜けなどの異常画像が発生する。
【００６６】
図１９では、飛び跳ねた現像剤が現像剤排出口９４に向かう経路を矢印Ｔで示した。図１９中の矢印Ｔは、飛び跳ねた現像剤が現像剤排出口９４に向かう経路を模式的に示したものであり、飛び跳ねた現像剤が現像剤排出口９４に向かう経路としては矢印Ｔで示すものに限るものではない。
【００６７】
〔実施例１〕
次に、実施形態の現像装置４の特徴部を備えた一つ目の実施例（以下、「実施例１」と呼ぶ）について説明する。
図１は、実施例１の現像装置４の断面説明図である。
図１に示すように、実施例１の現像装置４は、飛翔現像剤排出抑制部材として、ブロック部材３を備えている。ブロック部材３は、現像剤搬送部材である供給スクリュ８が現像剤を搬送するために回転することによって飛翔した現像剤が現像剤排出口９４に向かう経路（図１９中矢印Ｔ）を塞ぐため、飛び跳ねた現像剤が排出されることを抑制できる。
【００６８】
また、現像装置４では、供給搬送路９内から現像剤排出口９４に向かう現像剤が通過する排出経路９６がブロック部材３と仕切り壁１３５との間に形成されている。これにより、飛び跳ねた現像剤が排出されることを抑制しつつ、現像装置４内の現像剤量が増加したときには、排出経路９６によって現像剤を現像剤排出口９４に案内し、必要量を超えた現像剤を現像剤排出口９４から排出することができる。
【００６９】
さらに、実施例１の現像装置４は、排出経路９６を閉鎖する閉鎖状態と、排出経路９６を開放する開放状態とを選択的に取り得る排出経路開閉部材１４０を備える。
図１は、排出経路開閉部材１４０が排出経路９６を閉じた閉鎖状態を示しておいる。図９は、図１と同様に実施例１の現像装置４の断面説明図であって、排出経路開閉部材１４０が排出経路９６を開放した開放状態を示している。
【００７０】
図１０は、実施例１の現像装置４を図１中の手前側の斜め上方から見た斜視断面図であり、断面は現像剤排出口９４を設けた位置における断面である。また、図１１は、図１０に示す状態から排出経路開閉部材１４０を取り外した状態の斜視断面図である。
【００７１】
図１２は、実施例１の現像装置４を図１中の奥側の斜め上方から見た斜視断面図であり、断面は現像剤排出口９４を設けた位置における断面である。図１２は、図１０及び図１１に示す現像装置４に対して、現像装置４を形成するケーシングのうちの現像ドクタ１２が固定されるドクタ固定ケーシング１２ａと、現像ローラ５と、現像ドクタ１２と、を取り外した状態の斜視断面図である。また、図１３は、図１２に示す状態から排出経路開閉部材１４０を取り外した状態の斜視断面図である。
【００７２】
図１４は、実施例１の現像装置４を図１中の奥側の斜め下方から見た斜視断面図であり、断面は現像剤排出口９４を設けた位置よりも供給搬送路９における搬送方向上流側（図１中の奥側）における断面である。図１４は、図１２及び図１３に示す現像装置４に対して、供給スクリュ８を取り外した状態の斜視断面図である。また、図１５は、図１４に示す状態から排出経路開閉部材１４０を取り外した状態の斜視断面図である。
【００７３】
排出経路開閉部材１４０は、シート状の弾性材料からなり、一端の上面をブロック部材３の下面に貼り付けて固定し、他端側の下面が現像剤排出口９４の下端を形成する仕切り壁１３５の縁部に接触する。排出経路開閉部材１４０は一端を中心に他端が揺動可能で、閉鎖状態から他端側が持ち上がって開放状態となる。
図１に示すように、ブロック部材３の下面は、現像剤排出口９４の下端を形成する仕切り壁１３５の縁部よりも下方にある。このため、図１に示す閉鎖状態では、排出経路開閉部材１４０はブロック部材３の下面に固定された一端側に対して上方に撓んだ状態で仕切り壁１３５の縁部に接触する。このとき、排出経路開閉部材１４０の自重と撓みに対する反発力によって他端側を仕切り壁１３５の縁部に押し付けるような付勢力が作用する。
【００７４】
ブロック部材３を配置しても、ブロック部材３の下方で飛び跳ねた現像剤が排出経路９６を通過して現像剤排出口９４から排出されるおそれがある。実施例１の現像装置４では、ブロック部材３の下方で現像剤が飛び跳ねても排出経路開閉部材１４０の下面に現像剤がぶつかる。このとき、現像剤が排出経路開閉部材１４０を押し上げる力が上記付勢力よりも小さい状態では、排出経路開閉部材１４０は閉鎖状態を維持し、現像剤が排出されることを防止できる。一方、現像剤が排出経路開閉部材１４０を押し上げる力が上記付勢力よりも大きくなると、排出経路開閉部材１４０の他端側（図１中の左側）が現像剤に押し上げられ、図９に示すような開放状態となる。開放状態となると、供給搬送路９内の現像剤の一部が排出経路９６を通過して現像剤排出口９４から排出搬送路２に到達し、現像装置４の外部に排出される。
【００７５】
供給搬送路９内の現像剤が排出経路開閉部材１４０を押し上げる力は、供給搬送路９における現像剤排出口９４近傍の現像剤量によって変動する。現像剤量が少なく、現像剤の剤面が排出経路開閉部材１４０の下面に届いておらず、排出経路開閉部材１４０の下面にぶつかる現像剤が少ない状態では、現像剤が排出経路開閉部材１４０を押し上げる力は小さく、排出経路開閉部材１４０は閉鎖状態のままとなる。
【００７６】
一方、現像装置４内の現像剤量が増加し、現像剤排出口９４近傍の現像剤量が増加すると、現像剤の嵩が大きくなり、剤面が排出経路開閉部材１４０の下面に到達する。さらに、現像剤の嵩が大きくなると、現像剤が排出経路開閉部材１４０を押し上げて開放状態となり、現像剤排出口９４から現像剤が排出される。
【００７７】
また、現像剤の剤面が排出経路開閉部材１４０の下面に到達した場合に限らず、開放状態となることが考えられる。すなわち、現像剤排出口９４近傍の現像剤量が多くなると、飛び跳ねて排出経路開閉部材１４０の下面にぶつかる現像剤の量も増加し、現像剤が排出経路開閉部材１４０を押し上げる力も増加する。そして、現像剤の剤面が排出経路開閉部材１４０の下面に到達していない状態であっても、飛び跳ねた現像剤が排出経路開閉部材１４０の下面を押し上げる力が上記付勢力よりも大きくなると、排出経路開閉部材１４０の他端側が持ち上がり、開放状態となる。
【００７８】
現像剤の剤面が排出経路開閉部材１４０を押し上げる場合と、飛び跳ねた現像剤が排出経路開閉部材１４０を押し上げる場合との何れの場合であっても、供給搬送路９内の現像剤排出口９４を設けた位置における現像剤量が少ない場合には閉鎖状態となる。そして、この位置における現像剤量が増加し、現像剤が排出経路開閉部材１４０を押し上げることにより、開放状態となって現像剤の排出を行うことができる。
この構成により、飛び跳ねて機外に放出される現像剤を排出経路開閉部材１４０で押さえ、現像剤の流動性や飛び跳ねによる排出量の誤差を減らし、現像装置４内の現像剤の量が一定量を超えたときに現像剤を排出する構成を実現できる。
【００７９】
現像装置４のように、供給搬送路９内の現像剤排出口９４を設けた位置における現像剤量の変化に応じて現像剤排出口９４へ向かう排出経路９６の開閉を行うことによって、現像剤量が少ない状態で飛び跳ねた現像剤が排出されることを防止できる。よって、現像装置４内の現像剤量が増加していないにもかかわらず現像剤が排出されることを防止することができる。このため、現像装置４内の現像剤の必要量を確保することができ、感光体１に安定した現像剤の供給を行うことができる。これにより、感光体１上の静電潜像を良好にトナー像化することができ、画像抜けなどの異常画像の発生を防止し、良好な画像形成を行うことができる。
【００８０】
また、図１に示すように、閉鎖状態では排出経路開閉部材１４０の他端側が現像剤排出口９４に入り込み、排出経路開閉部材１４０の下面が仕切り壁１３５における現像剤排出口９４の下端部分に接触する。
排出経路開閉部材１４０の揺動中心となる一端の位置が、組み付け誤差によって現像剤排出口９４から多少離れても、閉鎖状態で排出経路開閉部材１４０が現像剤排出口９４に入り込む範囲の誤差であれば閉鎖状態で現像剤が通過し得る隙間は生じない。また、上記一端の位置が組み付け誤差によって現像剤排出口９４に多少近付いても、他端が排出搬送路２の内壁面等の他の部材に接触することなく現像剤排出口９４に入り込む長さが変化するだけの範囲の誤差であれば、円滑な開閉動作を行うことができる。このように、排出経路開閉部材１４０の一端の位置に組み付け誤差が生じても、ある程度の誤差の範囲であれば、閉鎖状態で隙間が生じることを防止し、且つ、円滑な開閉動作を行うことができるので、組み付け公差を広く設定することができる。よって、装置内の現像剤量が増加していないにもかかわらず現像剤が排出されることを抑制するための排出経路開閉部材１４０の組み付け精度を従来よりも低くできる。
【００８１】
また、図１に示すように、実施例１の現像装置４は、ブロック部材３の下面に排出経路開閉部材１４０を貼り付ける構成となっている。このような構成では、現像剤が排出経路開閉部材１４０を下方から押圧したときに、排出経路開閉部材１４０をブロック部材３の下面に押し付ける方向に力が作用する。これにより、排出経路開閉部材１４０が現像剤によって押し上げられてもブロック部材３から剥がれ難い構成を実現出来る。
【００８２】
図２０は、特許文献２に記載の排出経路開閉部材１４０を備えた現像装置の概略を説明する供給搬送路９近傍の拡大断面図である。この現像装置では、排出経路開閉部材１４０の図中右側の端部がブロック部材３に固定され、排出経路開閉部材１４０の図中左側の端部は自由端となっており、自由端側が現像剤に押し上げられる構成となっている。この現像装置では図２０（ａ）に示すように、閉鎖状態では排出経路開閉部材１４０は現像剤排出口９４の下方の仕切り壁１３５の壁面に接触または近接する構成となっている。
【００８３】
現像装置のケーシングに排出経路開閉部材１４０を作業者が組みつけようとすると、±０．５［ｍｍ］程度の公差を設定することが求められる。このため、公差の範囲であっても排出経路開閉部材１４０の固定端から自由端までの長さが短いと、図２０（ｂ）に示すように、排出経路開閉部材１４０の磁有端と仕切り壁１３５との間に隙間が生じてしまう。隙間が生じると、隙間から排出経路開閉部材１４０の上方に回り込んだ現像剤によって排出経路開閉部材１４０が埋まってしまうおそれがある。
【００８４】
また、公差の範囲であっても排出経路開閉部材１４０の固定端から自由端までの長さが長いと、現像装置の動作中に、図２０（ｃ）に示すように、排出経路開閉部材１４０の先端が下側になるように巻き込まれてしまうおそれがある。図２０（ｃ）の状態となると、排出経路開閉部材１４０が持ち上がりにくくなり、現像剤の排出が阻害され、現像装置内に過剰な現像剤が収容された状態となるおそれがある。
これに対して、実施例１の現像装置４は、図１に示すように排出経路開閉部材１４０を配置することで、現像装置４に対する排出経路開閉部材１４０の組み付け誤差の影響を受け難い。
【００８５】
実施例１の現像装置４では、シート状の排出経路開閉部材１４０として、厚さが０．０５［ｍｍ］のポリエチレンテレフタラートのシート材を用いているが、現像剤の増減によって開閉可能であればこれに限るものではない。
【００８６】
図１６は、実施例１の現像装置４の供給搬送路９の下流端近傍の拡大説明図である。現像装置４は、図１４〜図１６に示すように、現像剤排出口９４に対して供給スクリュ８の搬送方向上流側に上流側壁部材３８を備え、現像剤排出口９４に対して供給スクリュ８の搬送方向下流側に下流側壁部材３９を備える。上流側壁部材３８は、供給スクリュ８の搬送方向（図１６中矢印Ｓ）に垂直で、且つ、その法線方向が矢印Ｓ方向と逆方向となる上流側壁面３８ｆを備える。下流側壁部材３９は、供給スクリュ８の搬送方向（図１６中矢印Ｓ）に垂直で、且つ、その法線方向が矢印Ｓ方向と同方向となる下流側壁面３９ｆを備える。
上流側壁部材３８及び下流側壁部材３９は、排出経路開閉部材１４０の上流側と下流側とにおいて、排出経路開閉部材１４０の上面と供給搬送路９の天井との隙間を遮蔽する隙間遮蔽部材である。
【００８７】
上流側壁部材３８を備えることにより、現像剤排出口９４に対して現像剤搬送方向上流側から、供給スクリュ８の搬送方向に飛翔した現像剤Ｔ１は、上流側壁部材３８の上流側壁面３８ｆに突き当たる。これにより、供給スクリュ８の軸方向のうち、搬送方向に飛翔した現像剤Ｔ１が排出経路開閉部材１４０の上方に向かう経路を塞ぐことができる。このため、搬送方向に飛翔した現像剤Ｔ１が閉鎖状態の排出経路開閉部材１４０の上方に到達することを防止し、閉鎖状態のときに現像剤排出口９４から現像剤が排出されることを防止することができる。
【００８８】
また、下流側壁部材３９を備えることにより、現像剤排出口９４に対して現像剤搬送方向下流側から、供給スクリュ８の搬送方向とは逆方向に飛翔した現像剤Ｔ２は、下流側壁部材３９の下流側壁面３９ｆに突き当たる。これにより、供給スクリュ８の軸方向のうち、搬送方向とは逆方向に飛翔した現像剤Ｔ２が排出経路開閉部材１４０の上方に向かう経路を塞ぐことができる。このため、搬送方向とは逆方向に飛翔した現像剤Ｔ２が閉鎖状態の排出経路開閉部材１４０の上方に到達することを防止し、閉鎖状態のときに現像剤排出口９４から現像剤が排出されることを防止することができる。
【００８９】
また、上流側壁部材３８及び下流側壁部材３９の下端である上流側壁下端部３８ｅ及び下流側壁下端部３９ｅは、図１５及び図１６に示すように、現像剤排出口９４の下端よりも下方に位置している。さらに、上流側壁下端部３８ｅ及び下流側壁下端部３９ｅは、排出経路開閉部材１４０が固定されるブロック部材３の下面よりも下方に位置している。このように配置することにより、排出経路開閉部材１４０の上流側と下流側とにおいて、排出経路開閉部材１４０の上面と供給搬送路９の天井との隙間を遮蔽する構成を実現できる。
【００９０】
また、図１４〜図１６に示すように、下流側壁下端部３９ｅは上流側壁下端部３８ｅよりも下方に位置する。これにより、上流側壁下端部３８ｅの下を通過した現像剤の一部が下流側壁部材３９の上流側の壁面に突き当たり、排出経路開閉部材１４０の下面に向かうように上方に移動する。このような構成により、現像剤排出口９４の近傍で現像剤を塞き止める作用が向上し、現像装置４内の現像剤量が増加したときの現像剤の排出の応答性が向上する。
【００９１】
また、図１４及び図１５に示すように、下流側壁部材３９は、仕切り壁１３５に近い側ほど下流側壁下端部３９ｅが下方に位置する形状となっている。すなわち、下流側壁部材３９は仕切り壁１３５に近い側ほど上下方向に長い形状である。これにより、現像装置４内の現像剤量が増加したとき現像剤が排出経路開閉部材１４０を押し上げ易い構成としている。
【００９２】
上述したように、複写機５００では、四つの画像形成ユニット２０（Ｙ，Ｍ，Ｃ，Ｋ）は、それぞれが扱うトナーの色が異なる点の他がほぼ同様の構成になっており、各画像形成ユニット２０が備える四つの現像装置４もほぼ同様の構成となっている。
複写機５００としては、扱うトナーの色によって、現像ローラ５と感光体１との隙間である現像ギャップの大きさを異ならせ、現像ギャップが大きい現像装置４にのみ排出経路開閉部材１４０を配置する構成としても良い。これは以下の理由による。
【００９３】
すなわち、現像ギャップが小さいほど「ハロー画像」は生じにくいが、現像ギャップが小さいほど現像ローラ５と感光体１との回転によって生じるギャップ変動の影響による濃度ムラが目立ち易くなり、「ハロー画像」と濃度ムラとはトレードオフの関係にある。「ハロー画像」とは、ベタ画像のエッジ部分に生じるエッジ電界の影響を受けベタ画像に隣接するハーフトーン画像のドット再現性が悪化し白く抜けてしまう異常画像である。黒トナー像は現像ギャップの変動に起因する濃度ムラよりもハロー画像の方が異常画像として目立ち易く、他の色（Ｙ，Ｍ，Ｃ）のトナー像はハロー画像よりも現像ギャップの変動に起因する濃度ムラの方が異常画像として目立ち易い傾向があった。
そこで、黒用画像形成ユニット２０Ｋでは、ハロー画像の抑制を優先するために現像ギャップを小さく設定し、カラー用の画像形成ユニット２０（Ｙ，Ｍ，Ｃ）で濃度ムラの抑制を優先するために黒用よりも現像ギャップを大きく設定する。
【００９４】
現像ギャップを大きくする場合は、現像領域での現像ローラ５と感光体１との隙間を現像剤で埋めるため、現像領域に搬送する現像剤の量を多くする必要があり、現像ドクタ１２と現像ローラ５との隙間であるドクタギャップも大きくする必要がある。ドクタギャップを大きくすると、供給搬送路９から現像ローラ５の表面に供給され、現像領域を通過して回収搬送路７に受け渡される現像剤の量が多くなり、供給搬送路９の上流側端部から下流側端部まで搬送される間の現像剤の減少量も多くなる。このため、現像ギャップの大きさに関わらず現像装置４の供給搬送路９内の現像剤の搬送速度を同じ速度とすると、現像ギャップが大きい現像装置４では供給搬送路９の下流側で現像剤が不足するおそれがある。このため、現像ギャップが大きい現像装置４では供給搬送路９内での現像剤の搬送速度を速くするために、現像ギャップが小さい現像装置４よりも供給スクリュ８の回転速度を速くする。
【００９５】
扱うトナーの色によって現像装置４の現像ギャップ及びドクタギャップの大きさと、供給スクリュ８の回転速度を異ならせても、現像装置４のケーシング等の他の部分は同じ構成とすることで、部品の共通化を図ることができる。このように他の部分を同じ構成とした場合、供給スクリュ８の回転速度が速い現像装置４の方が供給搬送路９内で飛び跳ねる現像剤の量が多くなる。このため、供給スクリュ８の回転速度が遅い黒用現像装置４Ｋでは排出経路開閉部材１４０を配置していない構成でも現像装置４内の現像剤の必要量を確保できても、回転速度が速い他の現像装置４では現像剤が過剰に排出され、必要量を確保できないことがあった。このような場合、供給スクリュ８の回転速度が速いカラー用の現像装置４（Ｙ，Ｍ，Ｃ）にのみ排出経路開閉部材１４０を配置する。
【００９６】
排出経路開閉部材１４０を配置することで供給スクリュ８の回転速度が速く、飛び跳ねる現像剤の量が多いカラー用の現像装置４（Ｙ，Ｍ，Ｃ）であっても現像装置４内の現像剤の必要量を確保することが可能となる。
また、排出経路開閉部材１４０を配置していない構成でも現像装置４内の現像剤の必要量を確保できる黒用現像装置４Ｋに排出経路開閉部材１４０を配置すると、必要量を超えた現像剤を収容している状態にも関わらず現像剤が排出されないおそれがある。この場合、過剰な現像剤を収容した状態となり、現像剤搬送部材である各現像剤搬送スクリュの回転トルクが上昇したり、現像剤が漏れ出たりする、といった不具合が生じるおそれがある。これに対して、供給スクリュ８の回転速度が遅い黒用現像装置４Ｋのみ排出経路開閉部材１４０を配置しない構成とすることで、過剰な現像剤を収容した状態となることを防止し、上述した不具合の発生を防止できる。
【００９７】
〔実施例２〕
次に、実施形態の現像装置４の特徴部を備えた二つ目の実施例（以下、「実施例２」と呼ぶ）について説明する。
図１７は、実施例２の現像装置４の断面説明図である。
実施例２の現像装置４は、ブロック部材３の形状と、排出経路開閉部材１４０の取り付け位置以外は実施例１と共通するため、共通する構成については説明を省略する。
図１７に示すように、実施例２の現像装置４では排出経路開閉部材１４０は、シート状の弾性材料からなる。そして、排出経路開閉部材１４０は、現像剤排出口９４の位置で下面となる面と同じ面の一端側をブロック部材３の側面に貼り付けて固定し、他端側が現像剤排出口９４の下端を形成する仕切り壁１３５の縁部に接触している。
【００９８】
図１７に示すように、排出経路開閉部材１４０はブロック部材３の側面に固定された一端側に対して側方に撓んだ状態で仕切り壁１３５の縁部に接触し、撓みに対する反発力によって他端側を仕切り壁１３５の縁部に押し付けるような付勢力が作用する。
これにより、実施例１の現像装置４と同様に、供給搬送路９内の現像剤排出口９４を設けた位置における現像剤量が少ない場合には閉鎖状態となる。そして、この位置における現像剤量が増加し、現像剤が排出経路開閉部材１４０を押し上げることにより、開放状態となって現像剤の排出を行うことができる。
この構成により、飛び跳ねて機外に放出される現像剤を排出経路開閉部材１４０で押さえ、現像剤の流動性や飛び跳ねによる排出量の誤差を減らし、現像装置４内の現像剤の量が一定量を超えたときに現像剤を排出する構成を実現できる。
【００９９】
〔実施例３〕
次に、実施形態の現像装置４の特徴部を備えた三つ目の実施例（以下、「実施例３」と呼ぶ）について説明する。
図１８は、実施例３の現像装置４の断面説明図である。
実施例３の現像装置４は、ブロック部材３の形状と、排出経路開閉部材１４０の取り付け位置、排出経路開閉部材１４０の材料、及び、排出経路開閉部材１４０の取り付け方法以外は実施例１と共通するため、共通する構成については説明を省略する。
【０１００】
実施例３の排出経路開閉部材１４０は、板状の剛性材料からなり、実施例１及び実施例２の排出経路開閉部材１４０とは異なり撓み難いものとなっている。実施例３では排出経路開閉部材１４０一端はヒンジ部１４０ａを介してブロック部材３の側面に回動可能に取り付けて固定し、他端側の下面が現像剤排出口９４の下端を形成する仕切り壁１３５の縁部に接触する。
【０１０１】
図１８に示すように、排出経路開閉部材１４０はブロック部材３の側面に配置したヒンジ部１４０ａを中心に回動可能であるため、その自重によって他端側を上方から下方に仕切り壁１３５の縁部に押し付けるような付勢力が作用する。
これにより、実施例１の現像装置４と同様に、供給搬送路９内の現像剤排出口９４を設けた位置における現像剤量が少ない場合には閉鎖状態となる。そして、この位置における現像剤量が増加し、現像剤が排出経路開閉部材１４０を押し上げることにより、開放状態となって現像剤の排出を行うことができる。
この構成により、飛び跳ねて機外に放出される現像剤を排出経路開閉部材１４０で押さえ、現像剤の流動性や飛び跳ねによる排出量の誤差を減らし、現像装置４内の現像剤の量が一定量を超えたときに現像剤を排出する構成を実現できる。
【０１０２】
上述した実施形態は、本発明における最良の形態の一例であって、本願の特許請求の範囲を限定するものではない。また、上述した実施形態では本発明の構成を備えた現像装置４０を備える画像形成装置が複写機である構成について説明したが、ファクシミリ、プリンタ等の他の画像形成装置にも適用可能である。
【０１０３】
以上に説明したものは一例であり、本発明は、次の態様毎に特有の効果を奏する。
（態様Ａ）
現像剤を表面上に担持する現像ローラ５等の現像剤担持体と、現像剤担持体に供給する現像剤を収容する供給搬送路９、回収搬送路７及び攪拌搬送路１０等の現像剤収容部内の現像剤を搬送する供給スクリュ８、回収スクリュ６及び攪拌スクリュ１１等の現像剤搬送部材と、を有し、現像剤収容部を形成する仕切り壁１３５等の収容部形成壁の所定の高さに、現像剤を装置外部に排出する現像剤排出口９４等の現像剤排出口を設け、現像剤収容部内から現像剤排出口に向かう現像剤が通過する排出経路９６等の排出経路を閉鎖する閉鎖状態と、排出経路を開放する開放状態とを選択的に取り得る排出経路開閉部材１４０等の排出経路開閉部材を備え、排出経路開閉部材は、一端を中心に他端が揺動可能で、閉鎖状態から他端側が持ち上がって開放状態となる現像装置において、閉鎖状態では排出経路開閉部材の他端側が現像剤排出口に入り込み、排出経路開閉部材の下面が収容部形成壁における現像剤排出口の下端部分に接触する。
これによれば、上記実施形態について説明したように、装置内の現像剤量が増加していないにもかかわらず現像剤が排出されることを抑制するための排出経路開閉部材の組み付け精度を従来よりも低くできる。これは以下の理由による。
すなわち、従来の排出経路開閉部材を備える現像装置では、排出経路開閉部材の一端の位置が組み付け誤差によって現像剤排出口から離れると、閉鎖状態であっても他端と壁面との間に現像剤が通過可能な隙間が出来てしまう。一方、態様Ａでは、従来の現像装置において他端と壁面との間に現像剤が通過できるような隙間が生じるほどの組み付け誤差が生じても、閉鎖状態で排出経路開閉部材が現像剤排出口に入り込んだ状態を維持するように設定することが可能である。排出経路開閉部材が現像剤排出口に入り込んだ状態であれば、閉鎖状態で現像剤が通過し得る隙間は生じない。
また、従来の現像装置では、上記一端の位置が組み付け誤差によって現像剤排出口に近付くと、閉鎖状態のときに他端が壁面に突き当たって排出経路開閉部材が撓んだ状態となり、このときの撓み量が大きくなると、円滑な開閉動作を行えなくなる。一方、態様Ａでは、従来の現像装置において排出経路開閉部材が撓んで円滑な開閉動作を行えなくなるほどの組み付け誤差が生じても、排出経路開閉部材の他端側が現像剤排出口に入り込む長さが長くなるだけであり、円滑な開閉動作の妨げとはならない。
このように態様Ａでは、従来の現像装置においては許容されない組み付け誤差を許容することができるので、組み付け公差を広く設定することができる。よって、装置内の現像剤量が増加していないにもかかわらず現像剤が排出されることを抑制するための排出経路開閉部材の組み付け精度を従来よりも低くできる。
【０１０４】
（態様Ｂ）
態様Ａにおいて、現像剤排出口９４等の現像剤排出口は、装置内全体の現像剤量の増減に応じて現像剤の嵩が増減する供給搬送路９等の現像剤収容部における位置に設けられている。
これによれば、上記実施形態について説明したように、現像装置４等の現像装置内の現像剤の量が一定量を超えたときに現像剤を排出する構成を実現できる。
【０１０５】
（態様Ｃ）
態様ＡまたはＢの何れかの態様において、供給搬送路９等の現像剤収容部内の現像剤の搬送方向について、排出経路開閉部材１４０等の排出経路開閉部材の上流側と下流側とに、排出経路開閉部材の上面と現像剤収容部の天井との隙間を遮蔽する上流側壁部材３８及び下流側壁部材３９等の隙間遮蔽部材を備える。
これによれば、上記実施形態について説明したように、搬送方向に平行な方向に飛翔した現像剤が排出経路開閉部材１４０の上方に向かう経路を塞ぐことができる。このため、このため、搬送方向に平行な方向飛翔した現像剤が閉鎖状態の排出経路開閉部材の上方に到達することを防止し、閉鎖状態のときに現像剤排出口から現像剤が排出されることを防止することができる。
【０１０６】
（態様Ｄ）
態様Ｃにおいて、現像剤の搬送方向について排出経路開閉部材１４０等の排出経路開閉部材の下流側の下流側壁部材３９等隙間遮蔽部材の下端部（下流側壁下端部３９ｅ）は、上流側の上流側壁部材３８等の隙間遮蔽部材の下端部（上流側壁下端部３８ｅ）よりも下方に位置する。
これによれば、上記実施形態について説明したように、現像剤排出口９４等の現像剤排出口９４の近傍で現像剤を塞き止める作用が向上し、現像装置内の現像剤量が増加したときの現像剤の排出の応答性が向上する。
【０１０７】
（態様Ｅ）
態様Ａ乃至Ｄの何れかの態様において、排出経路９６等の排出経路を挟んで現像剤排出口９４等の現像剤排出口と対向する位置にブロック部材３等の排出口対向部材を備え、排出経路開閉部材１４０等の排出経路開閉部材の一端側の上面を排出口対向部材の下面に貼り付けることで、排出経路開閉部材の一端を固定する。
これによれば、上記実施形態について説明したように、現像剤が排出経路開閉部材を押し上げたときに、排出経路開閉部材が排出口対向部材から剥がれ難い構成を実現することができる。
【０１０８】
（態様Ｆ）
態様Ａ乃至Ｅの何れかの態様において、排出経路開閉部材１４０等の排出経路開閉部材は、閉鎖状態で撓んだ状態で縁部に接触するように配置され、閉鎖状態から開放状態となることで撓み量が大きくなる。
これによれば、上記実施形態について説明したように、閉鎖状態となるように付勢力を作用させることができ、現像剤量が少ないときに排出経路開閉部材を閉鎖状態で維持することができる。
【０１０９】
（態様Ｇ）
感光体１等の潜像担持体と、潜像担持体表面を帯電させるための不図示の帯電装置等の帯電手段と、潜像担持体上に静電潜像を形成するための光書込ユニット２１等の潜像形成手段と、静電潜像を現像する現像手段とを有する複写機５００等の画像形成装置において、現像手段として、態様Ａ乃至Ｆの何れかの態様に係る現像装置４等の現像装置を用いる。
これによれば、上記実施形態について説明したように、現像装置内の現像剤の必要量を確保することができ、感光体１等の潜像担持体に安定した現像剤の供給を行うことができる。これにより、潜像担持体上の静電潜像を良好にトナー像化することができ、画像抜けなどの異常画像の発生を防止し、良好な画像形成を行うことができる。
【符号の説明】
【０１１０】
１  感光体
１Ｋ  黒用感光体
１Ｙ  イエロー用感光体
２  排出搬送路
２ａ  排出搬送スクリュ
３  ブロック部材
４  現像装置
４Ｋ  黒用現像装置
５  現像ローラ
６  回収スクリュ
７  回収搬送路
８  供給スクリュ
９  供給搬送路
１０  攪拌搬送路
１１  攪拌スクリュ
１２  現像ドクタ
１２ａ  ドクタ固定ケーシング
１４  張架ローラ
１５  駆動ローラ
１６  二次転写バックアップローラ
１７  中間転写ユニット
２０  画像形成ユニット
２０Ｋ  黒用画像形成ユニット
２１  光書込ユニット
２２  二次転写装置
２３  紙搬送張架ローラ
２４  紙搬送ベルト
２５  定着装置
２６  定着ベルト
２７  加圧ローラ
３０  原稿台
３２  コンタクトガラス
３３  第一走行体
３４  第二走行体
３５  結像レンズ
３６  読取センサ
３８  上流側壁部材
３８ｅ  上流側壁下端部
３８ｆ  上流側壁面
３９  下流側壁部材
３９ｅ  下流側壁下端部
３９ｆ  下流側壁面
４２  給紙ローラ
４３  ペーパーバンク
４４  給紙カセット
４５  分離ローラ
４６  給紙路
４７  搬送ローラ対
４９  レジストローラ対
５０  手差し給紙ローラ
５１  手差しトレイ
５２  手差し分離ローラ
５３  手差し給紙路
５６  排出ローラ
５７  スタック部
６２  一次転写バイアスローラ
９０  ベルトクリーニング装置
９１  供給開口部
９２  余剰開口部
９３  回収開口部
９４  現像剤排出口
９５  トナー補給口
９６  排出経路
１００  プリンタ部
１１０  中間転写ベルト
１３３  第一仕切り壁
１３４  第二仕切り壁
１３５  仕切り壁
１４０  排出経路開閉部材
１４０ａ  ヒンジ部
２００  給紙装置
３００  スキャナ
４００  原稿自動搬送装置
５００  複写機
【先行技術文献】
【特許文献】
【０１１１】
【特許文献１】特許５０３７２５３号
【特許文献２】特許５２７７５８７号
【図１】
0006440017.tif 000002
【図２】
0006440017.tif 000003
【図３】
0006440017.tif 000004
【図４】
0006440017.tif 000005
【図５】
0006440017.tif 000006
【図６】
0006440017.tif 000007
【図７】
0006440017.tif 000008
【図８】
0006440017.tif 000009
【図９】
0006440017.tif 000010
【図１０】
0006440017.tif 000011
【図１１】
0006440017.tif 000012
【図１２】
0006440017.tif 000013
【図１３】
0006440017.tif 000014
【図１４】
0006440017.tif 000015
【図１５】
0006440017.tif 000016
【図１６】
0006440017.tif 000017
【図１７】
0006440017.tif 000018
【図１８】
0006440017.tif 000019
【図１９】
0006440017.tif 000020
【図２０】
0006440017.tif 000021